(57)【要約】【課題】  フィルタの切替えが簡単に行えるフィルタ切替装置を提供すること。【解決手段】  光学装置３の光路に配置され、前記光路に少なくとも１つのフィルタ２９を挿脱するフィルタ切替装置１において、前記光学装置３の外部に一部が突出し、前記光学装置方向の押圧操作のみで光路への前記フィルタ２９の挿脱を行う押圧操作部２５と、前記押圧操作部２５と前記フィルタ２９間に設けられ、前記押圧操作２５による前記光学装置方向の押圧を前記フィルタ２９に伝達する連結部３５を有することを特徴とするフィルタ切替装置。【選択図】  図２
2005128428.tif 000002
【特許請求の範囲】
【請求項１】
光学装置の光路に配置され、前記光路に少なくとも１つのフィルタを挿脱するフィルタ切替装置において、
前記光学装置の外部に一部が突出し、前記光学装置方向の押圧操作のみで光路への前記フィルタの挿脱を行う押圧操作部と、
前記押圧操作部と前記フィルタ間に設けられ、前記押圧操作による前記光学装置方向の押圧を前記フィルタに伝達する連結部を有することを特徴とするフィルタ切替装置。
【請求項２】
前記押圧操作部は、シーソースイッチであることを特徴とする請求項１に記載のフィルタ切替装置。
【請求項３】
光学装置の光路に配置され、前記光路に少なくとも１つのフィルタを挿脱するフィルタ切替装置において、
ベース部材に設けられた第１および第２の回動軸と、
前記第１の回動軸に回動可能に配置されたフィルタ挿脱用のシーソースイッチと、
一端が前記シーソースイッチに接続されたスイッチアームと、
前記第２の回動軸に回動可能に配置されたフィルタホルダと、
前記スイッチアームの他端と前記フィルタホルダとを連結する連結部とを有し、
前記シーソースイッチの操作を前記連結部を介して前記フィルタホルダに伝達し、前記フィルタホルダを前記第２の回動軸で回転させることで前記光路に挿脱可能に形成したことを特徴とするフィルタ切替装置。
【請求項４】
前記連結部は、一端部が前記スイッチアームに接続され他端部が前記フィルタホルダの前記第２の回動軸の近傍に接続されたリンク棒からなることを特徴とする請求項３に記載のフィルタ切替装置。
【請求項５】
前記連結部は、前記フィルタホルダの前記第２の回動軸近傍に設けられた突起部からなることを特徴とする請求項３に記載のフィルタ切替装置。
【請求項６】
前記シーソースイッチの一方を光学装置方向に押圧した際、前記スイッチアームは、前記第１の回動軸を中心とし前記スイッチアームを半径とする円の略接線方向に移動し、前記フィルタホルダを前記光路から挿脱することを特徴とする請求項４または５に記載のフィルタ切替装置。
【請求項７】
前記シーソースイッチの一方を光学装置方向に押圧した際、前記リンク棒は、前記第２の回動軸を中心とし、前記リンク棒と前記第２の回動軸の中心との距離を半径とする円の略接線方向に移動し、前記フィルタホルダを前記光路から挿脱することを特徴とする請求項４または６に記載のフィルタ切替装置。
【請求項８】
前記シーソースイッチの一方を光学装置方向に押圧した際、前記突起部は、前記第２の回動軸を中心とし、前記突起部と前記スイッチアームとの連結部と前記第２の回動軸の中心との距離を半径とする円の略接線方向に移動し、前記フィルタホルダを前記光路から挿脱することを特徴とする請求項５または６に記載のフィルタ切替装置。
【請求項９】
前記突起部と前記スイッチアームとの連結部は、小判孔形状に形成されていることを特徴とする請求項５または６または８に記載のフィルタ切替装置。
【請求項１０】
請求項１から９のいずれか1項に記載のフィルタ切替装置を具備することを特徴とする顕微鏡。
【発明の詳細な説明】
【技術分野】
【０００１】
本発明は、光学装置のフィルタ切替装置に関し、特に顕微鏡の照明光学系に使用されるフィルタ切替装置に関する。
【背景技術】
【０００２】
従来、顕微鏡の照明光学系内に配置されるフィルタを交換する際には、フィルタを保持するスライダを光路から挿脱するものやハートカムなどを使用したノック機構によりフィルタを切替えることが行われている（例えば、特許文献１参照。）。
【特許文献１】実公昭６３−１２３３２号公報
【発明の開示】
【発明が解決しようとする課題】
【０００３】
顕微鏡のフィルタは観察する試料の種類や使用する低物レンズの種類に応じて頻繁に光路から挿脱するため、より簡単な操作で光路から自在に挿脱するフィルタ切替装置が望まれている。
【０００４】
しかし、従来の方式では、フィルタを光路に挿入する際と光路から抜取る際に、押すか引くかの逆の操作を行っているため、フィルタの切替えの操作がし難いと言う問題がある。
【０００５】
本発明は、上記課題にかんがみて行われたものであり、フィルタの切替えが簡単に行えるフィルタ切替装置を提供する。
【課題を解決するための手段】
【０００６】
上記目的を達成するために、本発明は、光学装置の光路に配置され、前記光路に少なくとも１つのフィルタを挿脱するフィルタ切替装置において、前記光学装置の外部に一部が突出し、前記光学装置方向の押圧操作のみで光路への前記フィルタの挿脱を行う押圧操作部と、前記押圧操作部と前記フィルタ間に設けられ、前記押圧操作による前記光学装置方向の押圧を前記フィルタに伝達する連結部を有することを特徴とするフィルタ切替装置を提供する。
【０００７】
また、本発明にかかるフィルタ切替装置では、前記押圧操作部は、シーソースイッチであることが好ましい。
【０００８】
また、本発明は、光学装置の光路に配置され、前記光路に少なくとも１つのフィルタを挿脱するフィルタ切替装置において、ベース部材に設けられた第１および第２の回動軸と、前記第１の回動軸に回動可能に配置されたフィルタ挿脱用のシーソースイッチと、一端が前記シーソースイッチに接続されたスイッチアームと、前記第２の回動軸に回動可能に配置されたフィルタホルダと、前記スイッチアームの他端と前記フィルタホルダとを連結する連結部とを有し、前記シーソースイッチの操作を前記連結部を介して前記フィルタホルダに伝達し、前記フィルタホルダを前記第２の回動軸で回転させることで前記光路に挿脱可能に形成したことを特徴とするフィルタ切替装置を提供する。
【０００９】
また、本発明にかかるフィルタ切替装置では、前記連結部は、一端部が前記スイッチアームに接続され他端部が前記フィルタホルダの前記第２の回動軸の近傍に接続されたリンク棒からなることが好ましい。
【００１０】
また、本発明にかかるフィルタ切替装置では、前記連結部は、前記フィルタホルダの前記第２の回動軸近傍に設けられた突起部からなることが好ましい。
【００１１】
また、本発明にかかるフィルタ切替装置では、前記シーソースイッチの一方を光学装置方向に押圧した際、前記スイッチアームは、前記第１の回動軸を中心とし前記スイッチアームを半径とする円の略接線方向に移動し、前記フィルタホルダを前記光路から挿脱することが好ましい。
【００１２】
また、本発明にかかるフィルタ切替装置では、前記シーソースイッチの一方を光学装置方向に押圧した際、前記リンク棒は、前記第２の回動軸を中心とし、前記リンク棒と前記第２の回動軸の中心との距離を半径とする円の略接線方向に移動し、前記フィルタホルダを前記光路から挿脱することが好ましい。
【００１３】
また、本発明にかかるフィルタ切替装置では、前記シーソースイッチの一方を光学装置方向に押圧した際、前記突起部は、前記第２の回動軸を中心とし、前記突起部と前記スイッチアームとの連結部と前記第２の回動軸の中心との距離を半径とする円の略接線方向に移動し、前記フィルタホルダを前記光路から挿脱することが好ましい。
【００１４】
また、本発明にかかるフィルタ切替装置では、前記突起部と前記スイッチアームとの連結部は、小判孔形状に形成されていることが好ましい。
【００１５】
また、本発明は、前記フィルタ切替装置を具備することを特徴とする顕微鏡を提供する。
【発明の効果】
【００１６】
本発明によれば、フィルタの切替えが簡単に行えるフィルタ切替装置を提供することができる。
【発明を実施するための最良の形態】
【００１７】
以下、本発明の実施の形態について図面を参照しつつ説明する。
【００１８】
図１は本発明にかかるフィルタ切替装置を搭載した顕微鏡の概略構成図を示す。図２は本発明の第１実施の形態にかかるフィルタ切替装置の概略構成図であり、フィルタ切替機構を光軸に沿って見た部分断面図である。図３は図２のＸ−Ｘ線に沿った断面図を示す。図４は本発明の第２実施の形態にかかるフィルタ切替装置の概略構成図であり、フィルタ切替機構を光軸に沿って見た部分断面図である。図５は図４のＸ−Ｘ線に沿った断面図を示す。図６は本発明の第２実施の形態にかかるフィルタ切替装置の概略構成図を示す鳥瞰図である。
【００１９】
図１において、本発明にかかるフィルタ切替装置１を搭載した顕微鏡Ａは、顕微鏡本体３に反射照明光学系５と透過照明光学系７とを有し、透過照明光学系７には、ランプ光源部９が設けられている。ランプ光源９からの光束は透過照明光学系７の光路中に交換可能に配置されたフィルタ切替装置１を介し、ステージ１３上に配置された不図示の標本を照明する。標本からの光は、リボルバー１５に配置された対物レンズ１７で集光され、鏡筒部１９を介して接眼レンズ２１で観察者に観察される。なお、フィルタ切替装置１は、反射照明光学系５に配置することも可能である。
【００２０】
（第１実施の形態）
図２、図３において、フィルタ切替装置１のベース部材２３の側面部２３ａに、押圧操作部材であるシーソースイッチ２５を回動可能に支持する第１の回動軸２７が透過照明光学系７の光軸Ｏに略平行に設けられている。シーソースイッチ２５には、アームスイッチ２６が接続され、シーソースイッチ２５のスイングによりアームスイッチ２６が第１の回動軸２７を中心としアームスイッチ２６のアーム長を半径とする円弧上を移動する。シーソースイッチ２５には、当て面２５ａ、２５ｂが設けられており、当て面２５ａ、２５ｂをベース部材２３に切替えられて当てられることでシーソースイッチ２５の２つの位置、すなわち後述するフィルタ２９が光軸Ｏに挿入されている状態（当て面２５ａがベース部材２３に当たっている状態でフィルタ２９のＩＮ状態）と光軸Ｏから外されている状態（当て面２５ｂがベース部材２３に当たっている状態でフィルタ２９のＯＵＴ状態）を実現する。また、シーソースイッチ２５には、突起部２５ｃが設けられており、ベース部材２３に固定されたばね２８と共にクリック機構を構成し、操作者にクリック感を与えると共に、フィルタ２９のＩＮ−ＯＵＴ状態におけるシーソースイッチ２５のポジションを確実にしている。
【００２１】
また、ベース部材２３の底部２３ｂには、フィルタ２９を保持し、フィルタ２９を照明光学系の光路に挿脱するフィルタホルダ３１を回動可能に支持する第２の回動軸３３が透過照明光学系の光軸Ｏに略平行に設けられている。フィルタホルダ３１には回動軸３３の近傍で光軸Ｏと回動軸３３の中心とを結ぶ線状にリンク棒３５を回転可能に接続する接続部３７が設けられている。リンク棒３５の一端部には孔３５ａが設けられスナップフィットのような抜け止め機構を有する接続部３７と回転可能に接続され、他端には孔３５ｂが設けられアームスイッチ２６の端部に設けられたスナップフィットのような抜け止め機構を有する接続部２６ａにより回転可能に接続されている。このようにして、上述のフィルタ切替機構を複数有するフィルタ切替装置１が構成されている。
【００２２】
次に、本第１実施の形態にかかるフィルタ切替装置１の動作に関し説明する。図２はフィルタ２９が光軸Ｏに挿入されている状態を示している。シーソースイッチ２５をＩＮ状態にセットした際、スイッチアーム２６が図中の右方向に移動し、これに伴いリンク棒３５が図中右方向に移動し、リンク棒３５に接続されている接続部３７を介してフィルタホルダ３１が、回動軸３３を中心として図中右方向に回転し、フィルタ２９が光軸Ｏに挿入され、当て面２５ａがベース部材２３に当り固定される。また、突起部２５ｃとばね２８とによりクリック機構が形成されておりフィルタ２９が光軸Ｏからずれてセットされることを防止する。
【００２３】
フィルタ２９を光軸Ｏから外す場合、シーソースイッチ２５をＯＵＴ状態に操作して、当て面２５ｂがベース部材２３に当たるようにする。この際、スイッチアーム２６は図中左方向に移動し、これに伴いリンク棒３５が図中左方向に移動し、リンク棒３５に接続されている接続部３７を介してフィルタホルダ３１が、回動軸３３を中心として図中左方向に回転し、フィルタ２９が光軸Ｏから外され、当て面２５ｂがベース部材２３に当り固定される。また、突起部２５ｃとばね２８とによりクリック機構が働き、フィルタ２９が光軸Ｏ方向に戻ることを防止する。
【００２４】
本第１実施の形態では、リンク棒３５を回転可能に支持するスイッチアーム２６先端の突起部２６ａとフィルタホルダ３１の接続部３７の位置は力の伝達が効率よく行われる位置に設けられている。すなわち、シーソースイッチ２５を操作してフィルタ２９を光軸Ｏに対して挿脱する場合、まずリンク棒３５をスイッチアーム２６の突起部２６ａにより押し引きすることになるが、このとき突起部２６ａは第１の回動軸２７を中心としスイッチアーム２６を半径とする円に対して略接線方向に力が働いて移動し（図中矢印で示す）リンク棒３５を押し引き出来るような位置に配置されている。またリンク棒３５によりフィルタホルダ３１が接続部３７を介して第２の回動軸３３を中心に回転し光軸Ｏに対して挿脱されるように駆動されるが、このとき接続部３７は第２の回動軸３３を中心としリンク棒３５と第２の回動軸３３の中心との距離を半径とする円に対して略接線方向にリンク棒３５により力が加えられ移動するような位置に配置されている。
【００２５】
なお、フィルタホルダ３１は交換可能に構成されており、所望の特性を有するフィルタ２９を有するフィルタホルダ３１をフィルタ切替装置１に適宜交換することが可能である。
【００２６】
（第２実施の形態）
次に、本発明の第２実施の形態にかかるフィルタ切替装置に関し説明する。本第２実施の形態では第１実施の形態のリンク棒を使用しない点が異なっており、第１実施の形態と同様の構成には同じ符号を付し説明を省略する。
【００２７】
図４から図６において、フィルタホルダ３１の第２の回動軸３３の近傍の側面にアームスイッチ４６方向に突出する略三角形状の突起部４０が設けられ、突起部４０の頂点部分には、アームスイッチ４６の端部に形成された小判形状の孔４８（以後、小判孔と記す）に契合するピン４０ａが設けられている。なお、ピン４０ａは小判孔４８に契合し、小判孔４８から外れないようにスナップフィットのような抜け止め機構を有していても良い。その他の構成、作用は第１実施の形態後同様であり説明を省略する。このようにして、本第２実施の形態にかかるフィルタ切替装置４１が構成されている。
【００２８】
本第２実施の形態では、シーソースイッチ２５を操作してフィルタ２９のＩＮ−ＯＵＴを操作する際、シーソースイッチ２５の動作で直接フィルタ２９の駆動を行うことができる構成になっている。
【００２９】
次に、本第２実施の形態にかかるフィルタ切替装置４１の動作に関し説明する。図４はフィルタ２９が光軸Ｏに挿入されている状態を示している。シーソースイッチ２５をＩＮ状態にセットした際、スイッチアーム４６が図中の右方向に移動し、突起部４０に設けられスイッチアーム４６の小判孔４８に接続されているピン４０ａを介してフィルタホルダ３１が、回動軸３３を中心として図中右方向に回転し、フィルタ２９が光軸Ｏに挿入され、当て面２５ａがベース部材２３に当り固定される。また、突起部２５ｃとばね２８とによりクリック機構が形成されており、フィルタ２９が光軸Ｏからずれてセットされることを防止する。
【００３０】
フィルタ２９を光軸Ｏから外す場合、シーソースイッチ２５をＯＵＴ状態に操作して、当て面２５ｂがベース部材２３に当たるようにする。この際、スイッチアーム４６は図中左方向に移動し、突起部４０に設けられスイッチアーム４６の小判孔４８に係合されているピン４０ａを介してフィルタホルダ３１が、回動軸３３を中心として図中左方向に回転し、フィルタ２９が光軸Ｏから外され、当て面２５ｂがベース部材２３に当り固定される。また、突起部２５ｃとばね２８とによりクリック機構が働き、フィルタ２９が光軸Ｏ方向に戻ることを防止する。
【００３１】
本第２実施の形態では、スイッチアーム４６の小判孔４８とフィルタホルダ３１の突起部４０に設けられたピン４０ａの位置は力の伝達が効率よく行われるような位置に配置されている。すなわち、シーソースイッチ２５を操作してフィルタ２９を光軸Ｏに挿脱する場合、アームスイッチ４６の小判孔４８によりフィルタホルダ３１の突起部４０のピン４０ａを駆動させることになるが、このとき小判孔４８はピン４０ａに対して第１の回動軸２７を中心としスイッチアーム４６を半径とする円に対して略接線方向に力が働き移動する（図中矢印で示す）ような位置に配置されている。同時にフィルタホルダ３１の突起部４０のピン４０ａは第２の回動軸３３を中心とし突起部４０とスイッチアーム４６との連結部と第２の回動軸３３の中心との距離を半径とする円に対して略接線方向に力が加えられ移動するような位置に配置されている。
【００３２】
なお、フィルタホルダ３１は交換可能に構成されており、所望の特性を有するフィルタ２９を有するフィルタホルダ３１をフィルタ切替装置１に適宜交換することが可能である。
【００３３】
以上述べたように、本発明にかかるフィルタ切替装置は、光路へのフィルタの挿脱の際シーソースイッチを押すだけ、または「はたく」という簡単な人間工学的にも疲れのない操作で実現することができると共に、光路へフィルタが挿入されているか否かの確認もシーソースイッチの位置で確実に知ることが可能となる。また、少ない部品数、組立てが容易であるなどシンプルな構成で実現できるので、フィルタ切替装置の省スペース化、低価格化、高信頼性化も達成することができる。
【００３４】
なお、本発明にかかる実施の形態では、押圧操作部材としてシーソースイッチを例示したが、これに限られるものではなく、押す操作のみで切替え操作が出来るものであれば良い。例えば、１つのフィルタに対して２つの押圧操作部材を設け、一方の押圧操作部材を押し、これを解除するために他方の押圧操作部材を押し込むと同時に、元の押圧操作部材の押し込みが解除され押し込まれる前の状態に戻る構成でも良い。
【００３５】
なお、上述の実施の形態は例に過ぎず、上述の構成や形状に限定されるものではなく、本発明の範囲内において適宜修正、変更が可能である。
【図面の簡単な説明】
【００３６】
【図１】本発明にかかるフィルタ切替装置を搭載した顕微鏡の概略構成図を示す。
【図２】本発明の第１実施の形態にかかるフィルタ切替装置の概略構成図であり、フィルタ切替機構を光軸に沿って見た部分断面図である。
【図３】図２のＸ−Ｘ線に沿った断面図を示す。
【図４】本発明の第２実施の形態にかかるフィルタ切替装置の概略構成図であり、フィルタ切替機構を光軸に沿って見た部分断面図である。
【図５】図４のＸ−Ｘ線に沿った断面図を示す。
【図６】本発明の第２実施の形態にかかるフィルタ切替装置の概略構成図を示す鳥瞰図である。
【符号の説明】
【００３７】
１、４１    フィルタ切替装置
３          顕微鏡本体
５          反射照明装置
７          透過照明装置
９          ランプ光源
１３        ステージ
１５        リボルバー
１７        対物レンズ
１９        鏡筒部
２１        接眼レンズ
２３        ベース部材
２５        シーソースイッチ
２６、４６  アームスイッチ
２７        第１の回動軸
２８        ばね
２９        フィルタ
３１        フィルタホルダ
３３        第２の回動軸
３５        リンク棒
３７        接続部
４０        突起部
４８        小判形状の孔（小判孔）
Ａ          顕微鏡
Ｏ          光軸
【図１】
2005128428.tif 000003
【図２】
2005128428.tif 000004
【図３】
2005128428.tif 000005
【図４】
2005128428.tif 000006
【図５】
2005128428.tif 000007
【図６】
2005128428.tif 000008